(57)【要約】【課題】  解体工事等を含む各種の工事現場において、現場に十分接近して安全に散水作業を行うことが可能である散水装置を提供する。【解決手段】  散水用ノズル2、該散水用ノズル2を支持する支柱3、及び該支柱3を支持するスタンド部4とからなり、支柱3は上下に伸縮可能に形成されていると共に、該支柱3内部に水導入配管5から散水用ノズル2に通じる水通路を設けて散水装置1を構成した。【選択図】  図1
2005152812.tif 000002
【特許請求の範囲】
【請求項１】
散水用ノズル、該散水用ノズルを支持する支柱、及び該支柱を支持するスタンド部とからなり、上記支柱が上下に伸縮可能に形成されていると共に、支柱の内部が水通路として形成されていることを特徴とする散水装置。
【請求項２】
散水用ノズルが、スプリンクラーである請求項1記載の散水装置。
【請求項３】
水導入配管が、支柱下端に取付られている請求項1又は2記載の散水装置。
【発明の詳細な説明】
【技術分野】
【０００１】
本発明は、構造物等の解体工事において粉塵の発生を抑制するための散水に用いられる散水装置に関する。
【背景技術】
【０００２】
従来、鉄筋コンクリート造構造物を破砕し、解体する際に、発生する大量の粉塵が周囲に飛散するのを押えるために、散水作業員が高圧ホースの先端に設けられた散水用のノズルを抱え、工事現場の近くから破砕箇所等に散水を行っていた。この先行技術は文献公知発明に係るものではないから、本件出願人は、関連する先行技術文献情報を知らない。
【発明の開示】
【発明が解決しようとする課題】
【０００３】
しかしながら、上記従来の方法では、散水専属の作業員が必要であるから、その為の人件費がかかってしまう。しかも十分な散水効果を得るために、作業員が破砕現場の近くに行く必要があるが、足場が不安定であり、解体重機が付近で作業をしており、破砕したコンクリート片が落下してくる事などから、現場に近づくと危険性の高い作業を余儀なくされてしまう。
【０００４】
このような危険を避けて作業を行う為に、遠くの方から散水しなければならない。そうすると、作業現場の近くで効果的な散水を行うのは困難である。
【０００５】
本発明は上記従来技術の欠点を解消するためになされたものであり、解体工事等を含む各種の工事現場において、現場に十分接近して安全に散水作業を行うことが可能である散水装置を提供することを目的とする。
【課題を解決するための手段】
【０００６】
本発明は、
(1)散水用ノズル、該散水用ノズルを支持する支柱、及び該支柱を支持するスタンド部とからなり、上記支柱が上下に伸縮可能に形成されていると共に、支柱の内部が水通路として形成されていることを特徴とする散水装置、
(2)散水用ノズルが、スプリンクラーである上記(1)記載の散水装置、
(3)水導入配管が、支柱下端に取付られている上記(1)又は(2)記載の散水装置、を要旨とするものである。
【発明の効果】
【０００７】
以上説明したように、本発明散水装置は、支柱を伸縮可能とし、更に該支柱の内部を通水路としたことにより、解体工事等を含む各種の工事現場において、任意の高さから無人散水が可能となり、安全に散水作業を行うことができる。更に無人散水を行うことができる為、足場が悪く作業車両が行き交う危険な現場に十分接近して散水することで、効果的な散水を行うことが可能となり、粉塵の飛散を効果的に防止する事ができる
【０００８】
また、無人散水を行う為、散水のための作業員が不要となり、人件費を削減して工事のコストを低減できる。
【発明を実施するための最良の形態】
【０００９】
以下本発明を図面に基づき詳細に説明する。図1は本発明散水装置の1例を示す正面図である。図1に示す態様の散水装置1は、散水用ノズル2、該散水用ノズル2を支持する支柱3、及び該支柱3を支持するスタンド部4とから構成されている。支柱3は上下に伸縮可能に形成されていると共に、該支柱3内部に支柱下方に接続される水導入配管5から散水用ノズル2に通じる水通路が設けられている。
【００１０】
図1の散水用ノズル2は、スプリンクラーが用いられていて、水圧により回転しながらスプリンクラー噴射口芯21より水を噴射するように形成されている。なお散水用ノズルとしては、スプリンクラー方式以外の固定式のノズルを用いても良い。
【００１１】
支柱3は、該支柱3の先端に取付られている散水用ノズル2の位置を上下に移動させることができると共に、該散水用ノズル2を所定の位置に固定可能に形成されている。その為、散水用ノズル2は上下方向の任意の高さに調節出来る。
【００１２】
図1に示す態様の散水装置の伸縮機構は、外側表面にねじ加工31が施された中筒32と、該中筒32が挿入するように形成された外筒33とからなる2重構造に形成されている。外筒33の先端部には内部にねじ溝(特に図示しない)が切られたナット状の調整リング34が取付けられている。なお支柱の伸縮可能な機構は、上記構成に限定されるものではない。
【００１３】
中筒32が外筒33に挿入されていると共に、外表面のねじ加工31の突起が、ナット状の調整リング34内部のねじ溝に螺合している。中筒32を回動させると、ねじ加工31の突起が調整リング34の内部に設けられたねじ溝に沿って動く為、中筒31が上下方向に動く。なお支柱を構成する中筒32及び外筒33等はアルミチューブ等が用いられる。
【００１４】
支柱3の中筒32及び外筒33の内部は中空状であり、水の通路として形成されている。なお中筒32、外筒33及び調整リング34の接続部分はOリング等を介して漏水しないように構成されている。
【００１５】
中筒32の上部先端には散水用ノズル2が取付られ、外筒33の下部先端はニップル34として形成されていて、該ニップル34には、エルボ51を介して水平方向にボールバルブ52、タケノコジョイント53が接続されてなる水導入配管5が取付られている。
【００１６】
また図1に示すように持ち手6は支柱3の外筒33に取付られていて、散水装置1を移動させる際に、手で持って運搬が容易となるように形成されている。
【００１７】
スタンド部4は、図1及び図2に示すように、平面形状がH字状に形成され、散水装置自身を地面の上で安定的に保持するための2枚の板状部材からなる設置脚部41と、該設置脚部41同士を繋ぎ支柱3を固定するための支柱保持部42とから構成されている。支柱保持部42は設置脚部41にボルトナット43で固定されている。またスタンド部4の支柱保持部42は、接地面Ｇよりも高い位置になるように形成されている。その結果、水導入配管5は、スタンド部4に干渉しないように取付けることができる。
【００１８】
支柱3は、図1に示すように最下端部よりも上の位置で支柱保持部42の略中央に固定され、水導入配管5が支柱3の下端に取付られている。このように水導入配管5が支柱3の下端部に位置すると、散水装置1の運搬等の際に水供給装置と散水装置を結ぶホース等が垂れ下がって取扱いがし難くなる虞がない。また、支柱3内部の水通路が配管を兼ねているために、ホースが装置上端の散水ノズルに直に接続されることがない為、見た目にもすっきりした外観が得られる。
【００１９】
なお、本発明においてスタンド部は、支柱を保持可能であれば良く、特に上記の態様に限定されない。
【００２０】
本発明散水装置1は、以下の手順で使用することができる。まず水導入配管5のタケノコジョイント53に、給水装置(特に図示しない）からのホースを接続する。散水装置1を散水現場の任意の位置に設置する。解体作業などの工事現場の状態に応じて、散水が効果的に行えるように、支柱3の高さを所定の高さに調節する。ボールバルブ5を開き、給水装置からの給水を行う。
【００２１】
給水装置からの水は、支柱の外筒及び中筒内部に形成されている通水路を通り先端の散水用ノズル2のスプリンクラー噴射口21から噴射して、散水ノズル2は回転しながら散水を行う。
【図面の簡単な説明】
【００２２】
【図１】本発明散水装置の1例を示す正面図である。
【図２】図1の散水装置の平面図である。
【符号の説明】
【００２３】
1  散水装置
2  散水用ノズル
3  支柱
4  スタンド部
5  水導入配管
【図１】
2005152812.tif 000003
【図２】
2005152812.tif 000004